(57)【要約】【課題】磁気カードの磁気情報の不正な読み取りを抑制しつつ、カード処理装置の磁気情報の読取性能を維持することを可能にする。【解決手段】カード処理装置は、カード挿入口に挿入され前記カード挿入口から排出される間に磁気カードが搬送されるカード搬送路と、前記カード挿入口の近傍に妨害磁界をそれぞれ発生させる第１および第２の磁界発生部と、前記第１および第２の磁界発生部の動作を制御する制御部と、を有し、前記制御部は、前記第１の磁界発生部および前記第２の磁界発生部に前記妨害磁界を発生させている状態で、前記カード搬送路上の前記磁気カードに対して所定の動作を行うとき、前記第１の磁界発生部には前記妨害磁界の発生を継続させ前記第２の磁界発生部には前記妨害磁界を停止させる。【選択図】図３
2018151762.tif 000002
【特許請求の範囲】
【請求項１】
カード挿入口に挿入され前記カード挿入口から排出される間に磁気カードが搬送されるカード搬送路と、
前記カード挿入口の近傍に妨害磁界をそれぞれ発生させる第１および第２の磁界発生部と、
前記第１および第２の磁界発生部の動作を制御する制御部と、を有し、
前記制御部は、前記第１の磁界発生部および前記第２の磁界発生部に前記妨害磁界を発生させている状態で、前記カード搬送路上の前記磁気カードに対して所定の動作を行うとき、前記第１の磁界発生部には前記妨害磁界の発生を継続させ前記第２の磁界発生部には前記妨害磁界を停止させる、カード処理装置。
【請求項２】
前記磁気カードに対する所定の動作は、前記磁気カードに記録されている磁気情報の読み取りである、
請求項１に記載のカード処理装置。
【請求項３】
前記磁気カードが前記カード挿入口に挿入されたことを検知する挿入検知センサと、
前記カード搬送路内の前記磁気カードから磁気情報を読み取る磁気情報読取部と、を更に有し、
前記制御部は、
前記挿入検知センサにて前記磁気カードが検知されると、前記第２の磁界発生部には前記妨害磁界を停止させ、
前記磁気カードが前記カード搬送路を挿入方向に進行する間に、前記磁気情報読取部に、前記磁気情報を読み取らせ、
前記磁気情報読取部による前記磁気情報の読み取りを終えた後に、前記第２の磁界発生部に前記妨害磁界の発生を再開させる、
請求項２に記載のカード処理装置。
【請求項４】
前記カード搬送路における前記磁気カードを搬送するカード搬送機構を更に有し、
前記挿入検知センサにて前記磁気カードが検知されると、
前記制御部は、
前記カード搬送機構に、前記磁気カードを前記カード搬送路における挿入方向に搬送させ、
前記第２の磁界発生部に、前記妨害磁界を停止させ、
前記磁気カードが前記カード搬送路において挿入方向に搬送される間に前記磁気情報読取部に前記磁気情報を読み取らせ、
前記磁気情報読取部による前記磁気情報の読み取りを終えた後、前記第２の磁界発生部に、前記妨害磁界の発生を再開させ、
前記カード搬送機構に、前記磁気カードを前記カード搬送路において排出方向に搬送させ、前記カード挿入口から排出させる、
請求項３に記載のカード処理装置。
【請求項５】
前記カード搬送路内の前記磁気カードから磁気情報を読み取る磁気情報読取部と、
前記磁気カードの位置を検知するためのカード位置センサと、を更に有し、
前記制御部は、
前記磁気カードが挿入方向に進行し終えた後に前記第２の磁界発生部に前記妨害磁界を停止させ、
前記磁気カードが前記カード搬送路を抜去方向に進行する間に、前記磁気情報読取部に、前記磁気情報を読み取らせ、
前記磁気カードが前記磁気情報読取部を通過すると、前記第２の磁界発生部に、前記妨害磁界の発生を再開させる、
請求項２に記載のカード処理装置。
【請求項６】
前記磁気カードは手動で前記カード挿入口に挿入され、手動で前記カード挿入口から抜去される、
請求項５に記載のカード処理装置。
【請求項７】
前記カード位置センサは、前記磁気カードの先端または後端が前記磁気情報読取部に到達したことを検知し、
前記制御部は、
挿入された前記磁気カードが抜去方向に引き抜かれるとき、前記磁気カードの後端が前記磁気情報読取部に到達すると、前記第２の磁界発生部に前記妨害磁界を停止させ、
前記磁気カードが前記カード搬送路を抜去方向に進行するときに、前記磁気情報読取部に、前記磁気情報を読み取らせ、
前記磁気カードの先端が前記磁気情報読取部に到達したとき、前記第２の磁界発生部に、前記妨害磁界の発生を再開させる、
請求項５に記載のカード処理装置。
【請求項８】
前記第１の磁界発生部と前記第２の磁界発生部が互いに周波数または強度の少なくとも一方が異なる妨害磁界を発生する、
請求項１に記載のカード処理装置。
【請求項９】
前記第１および前記第２の磁界発生部が発生する前記妨害磁界は前記周波数または前記強度が時間的に変化する、
請求項８に記載のカード挿入排出口ユニット。
【請求項１０】
前記第１の磁界発生部が発生する妨害磁界と前記第２の磁界発生部が発生する妨害磁界とが前記カード挿入口の近傍外側にて重なる、請求項１に記載のカード処理装置。
【請求項１１】
前記第１の磁界発生部は、前記カード搬送路と並行に拡がる前記妨害磁界を発生し、
前記第２の磁界発生部は前記カード搬送路の前記カード挿入口の近傍外側に前記妨害磁界を発生する、
請求項１０に記載のカード処理装置。
【請求項１２】
請求項１に記載のカード処理装置と、
前記カード処理装置と接続し、前記カード処理装置で読み取った前記磁気情報を利用した処理を実行する取引処理装置と、
を有する自動取引装置。
【請求項１３】
カード挿入口に挿入され前記カード挿入口から排出される間に磁気カードが搬送されるカード搬送路と、
前記カード挿入口の近傍に妨害磁界をそれぞれ発生させる第１および第２の磁界発生部と、を有し、
前記第１の磁界発生部および前記第２の磁界発生部に前記妨害磁界を発生させ、前記磁気カードの磁気情報が正規に読み取られる間は前記第１の磁界発生部には前記妨害磁界の発生を継続させ前記第２の磁界発生部には前記妨害磁界を一時的に停止する、カード挿入口ユニット。
【発明の詳細な説明】
【技術分野】
【０００１】
本発明は、磁気カードを取り込んで処理を行うカード処理装置に関する。
【背景技術】
【０００２】
ＡＴＭ（現金自動預金支払機）などの取引処理装置には、磁気カードに対して情報の処理を行うカード処理装置が搭載されている。カード処理装置は、カード挿入排出口から挿入された磁気カードを本体内に取り込んで、磁気カードの磁気ストライプに記録された磁気情報を磁気ヘッドで読み取る。そして取引終了後に磁気カードを本体内からカード挿入排出口へ排出する。
【０００３】
磁気ヘッドを備えた偽のカード挿入排出口を有する不正装置をＡＴＭの正規のカード挿入排出口に被せるように設置し、磁気カードの磁気情報を不正に取得するスキミングと呼ばれる犯罪がある。なお、セキュリティ面の配慮からスキミングの手法については簡単な説明にとどめる。
【０００４】
不正装置は、カード処理装置のカード挿入口に繋がる開口部が形成されている。不正装置が取り付けられたカード処理装置では、利用者は不正装置の開口部にカードを挿入することになる。したがって、この磁気カードは、不正装置を通って、カード挿入口から本体内部に取り込まれる。不正装置は、このときに磁気カードに記録されている磁気データを不正に読み取る。また、不正装置は、カード処理装置内部に取り込んだ磁気カードを利用者に返却するときにも磁気カードが不正装置を通ることから、このときにも磁気カードに記録されている磁気データを不正に読み取ることができる。
【０００５】
スキミングの防止対策として、例えば、磁界発生部により正規のカード挿入排出口の近傍に妨害用の磁界を発生させて、不正装置の磁気ヘッドで磁気カードの磁気情報が読み取られることを妨害する技術がある（例えば特許文献１、２、３）。
【０００６】
特許文献１、２、および３に記載された磁界発生部は、コイルやループアンテナから成り、カード処理装置の本体前面部や該前面部に設置されたカード挿入口ユニット内に設置される。また、磁界発生部の駆動を制御する制御部は、本体内に設置されている。
【０００７】
特許文献３に記載のカード処理装置は、複数の磁界発生部を備え、不正装置の磁気ヘッドで磁気カードの磁気情報が読み取られることを、より一層難しくしている。
【先行技術文献】
【特許文献】
【０００８】
【特許文献１】特開２００１−６７５２４号公報
【特許文献２】特開２００５−２６６９９９号公報
【特許文献３】特開２００７−１６４５３３号公報
【発明の概要】
【発明が解決しようとする課題】
【０００９】
しかし、特許文献１及び２に記載のスキミング防止策は、不正装置による磁気データの窃取に対する対策が十分でなかった。具体的に言うと、妨害用の磁界が単一のものなので、不正装置の磁気ヘッドとして一般に差動ヘッドと呼ばれている磁気ヘッドを用いれば妨害用の磁界をキャンセルすることができ、磁気カードの磁気データが窃取される危険性があった。
【００１０】
特許文献３に記載のスキミング防止策は、差動磁気ヘッドを備えた不正装置への対策であり、不正装置による磁気データの読み取りを妨害するための磁界を複数発生するものである。しかし、不正装置による磁気データの読み取りを妨害するための複数の磁界を発生すると、カードリーダ自身のカード挿入を検知する磁気ストライプ検知センサも影響を受け、カード挿入を誤検知したり、カードが挿入できなくなったりする場合があった。
【００１１】
カードリーダ自身が磁気ストライプ検知センサによりカード挿入を正しく検知するために磁気ストライプ検知センサ動作時に妨害用の磁界を停止することが考えられる。しかし、磁気ストライプ検知センサ動作時に妨害用の磁界を停止すると、カード挿入の瞬間にスキミングが可能になってしまう。
【００１２】
また、妨害用の磁界によるカード読取装置自体への影響を低減するために、妨害用の磁界を弱めるとスキミング妨害の効果が下がり、差動ヘッドだけでなく磁気遮蔽あるいはノイズフィルタなどを備えた高性能の不正装置に対して効果が得られない場合がある。
【００１３】
磁気読み取りヘッドがカード挿入口先端付近にあるカード処理装置においても、同様に、妨害磁界の影響で磁気を読み取りできない、または読み取り性能が低下してしまう。
【００１４】
本発明の目的は、磁気カードの磁気情報の不正な読み取りを抑制しつつ、カード処理装置の磁気情報の読取性能を維持することを可能にする技術を提供することである。
【課題を解決するための手段】
【００１５】
本発明の一態様によるカード処理装置は、カード挿入口に挿入され前記カード挿入口から排出される間に磁気カードが搬送されるカード搬送路と、前記カード挿入口の近傍に妨害磁界をそれぞれ発生させる第１および第２の磁界発生部と、前記第１および第２の磁界発生部の動作を制御する制御部と、を有し、前記制御部は、前記第１の磁界発生部および前記第２の磁界発生部に前記妨害磁界を発生させている状態で、前記カード搬送路上の前記磁気カードに対して所定の動作を行うとき、前記第１の磁界発生部には前記妨害磁界の発生を継続させ前記第２の磁界発生部には前記妨害磁界を停止させる。
【発明の効果】
【００１６】
第１の磁界発生部からの妨害磁界と第２の磁界発生部からの妨害磁界を発生させることにより不正装置による磁気カードの磁気情報が読み取られるのを効果的に抑制すると共に、自装置内で磁気カードに対して所定の処理をするときには第２の磁界発生部からの妨害磁界を停止して読み取り性能を維持する。
【図面の簡単な説明】
【００１７】
【図１】実施例１による自動取引装置のブロック図である。
【図２】実施例１によるカード処理装置のブロック図である。
【図３】実施例１によるカード処理装置の内部構成の概略図である。
【図４】実施例１によるカード処理装置の一連の動作を示す図である。
【図５】実施例１によるカード処理装置の一連の動作を示す図である。
【図６】実施例１によるカード処理装置の一連の動作を示す図である。
【図７】実施例１によるカード処理装置の一連の動作を示す図である。
【図８】実施例２によるカード処理装置のブロック図である。
【図９】実施例２によるカード処理装置の内部構成の概略図である。
【図１０】実施例２によるカード処理装置の一連の動作を示す図である。
【図１１】実施例２によるカード処理装置の一連の動作を示す図である。
【図１２】実施例２によるカード処理装置の一連の動作を示す図である。
【図１３】実施例２によるカード処理装置の一連の動作を示す図である。
【図１４】実施例２によるカード処理装置の一連の動作を示す図である。
【発明を実施するための形態】
【００１８】
本発明の実施形態について図面を用いて説明する。
【実施例１】
【００１９】
実施例１では磁気カードを自動搬送するカード処理装置を例示する。カード処理装置は自動取引装置に組み込まれて使用される。自動取引装置は例えばＡＴＭである。
【００２０】
図１は、実施例１による自動取引装置のブロック図である。図１を参照すると、自動取引装置１００はカード処理装置１および取引処理装置１０１を有している。本実施例のカード処理装置１は、磁気カードを自動搬送し、磁気カードに記録されている磁気情報を読み取り、取引処理装置１０１に通知する。取引処理装置１０１は磁気情報を利用した処理を実行する。
【００２１】
図２は実施例１によるカード処理装置のブロック図である。図２を参照すると、カード処理装置１は、カード挿入口ユニット２０、制御部３２、磁気情報読取部３３、カード搬送路５、カード位置センサ３４、メモリ３５、ホストインタフェース３６、およびカード搬送機構３７を有している。
【００２２】
制御部３２は、カード処理装置１の全体の動作を制御する処理部であり、カード搬送制御部３９を含んでいる。カード搬送制御部３９は、磁気カードの自動搬送を制御する。
【００２３】
カード搬送路５は、磁気カードが挿入され排出される開口（不図示）を有し、磁気カードが搬送される経路である。
【００２４】
カード搬送機構３７は、開口から挿入された磁気カードをカード搬送路５内で搬送する機構である。
【００２５】
磁気情報読取部３３は、カード搬送路５に配置され、磁気カードに記録されている磁気情報を読み取る。
【００２６】
カード位置センサ３４は、カード搬送路５を搬送される磁気カードの位置を検知する。
【００２７】
メモリ３５は、制御部３２が必要に応じて各種情報を格納する記憶部である。
【００２８】
ホストインタフェース３６は、カード処理装置１が設けられるＡＴＭなどの全体装置（不図示）と接続され、カード処理装置１が全体装置と連携するための情報を送受信するためのインタフェースである。例えば、磁気カードから読み取られた磁気情報はホストインタフェース３６を介して全体装置に通知される。
【００２９】
カード挿入口ユニット２０は、カード処理装置１のカード挿入口およびその周辺部分を構成するユニットである。カード挿入口はカード搬送路５の開口である。カード挿入口ユニット２０は、磁界制御部２２、第１の磁界発生部２３、第２の磁界発生部２４、および磁気ストライプ検知センサ２１、および挿入検知センサ４１を有している。
【００３０】
第１の磁界発生部２３および第２の磁界発生部２４は、カード搬送路５の開口の近傍に配設され、不正装置（不図示）が磁気カードの磁気データを読み取るのを妨害するための妨害磁界を発生させる。
【００３１】
磁界制御部２２は、制御部３２と連携し、第１の磁界発生部２３および第２の磁界発生部２４による妨害磁界の発生を制御する。
【００３２】
磁気ストライプ検知センサ２１は、カード搬送路５の開口の近傍に配設され、磁気カードが有する磁気ストライプを検知することにより、カード搬送路５内に磁気ストライプを備えた磁気カードが挿入されたことを検出する。挿入検知センサ４１は、カード搬送路５の開口の近傍に配設され、磁気カードの幅や厚みを検知することにより、カード搬送路５内に規定のカード形状の磁気カードが挿入されたことを検出する。
【００３３】
図３は、実施例１によるカード処理装置の内部構成の概略図である。カード処理装置１は、カード挿入口４およびその周辺部分としてカード挿入口ユニット２０を有している。
【００３４】
カード搬送路５は、カード処理装置１においてカード挿入口ユニット２０および本体を通るように設けられている。カード搬送路５内では、磁気カード３は、カード処理装置１の本体内にカード搬送路５を挟むように対をなしカード搬送路５の搬送方向に並べて配設されたローラ６１Ａ、６１Ｂにより挟持され、ローラ６１Ａ、６１Ｂが回転することによりカード搬送路５を搬送される。ローラ６１Ａ、６１Ｂは図２におけるカード搬送機構３７に相当する。ローラ６１Ａ、６１Ｂはそれぞれに対をなす２つのローラで構成されている。対をなすローラの一方がモータ（不図示）の回転力が伝達される駆動ローラであり、他方がこの駆動ローラに従動して回転する従動ローラである。駆動ローラを回転させるモータはカード搬送制御部３９により制御される。モータの回転方向および回転速度を含む回転と停止を制御することにより、磁気カード３の取り込みと排出が可能となる。
【００３５】
カード挿入口４の近傍には、カード挿入口４に挿入された磁気カード３を検出する挿入検知センサ４１が設けられている。挿入検知センサ４１は磁気カード３を検知するとセンサ信号を制御部３２に通知する。
【００３６】
なお、図３では、カード挿入口４の外側には、カード挿入口４に挿入あるいはカード挿入口４から排出される磁気カード３から磁気情報を読み取り可能な位置に磁気情報読取部（磁気ヘッド）１２を有する不正装置１１が取り付けられている。磁気情報読取部１２は、磁気カード３のストライプに当接する磁気ヘッドの出力と磁気カード３に当接しない磁気ヘッドの出力との差分を取ることで外部磁界の影響をキャンセルする差動ヘッドであってもよい。
【００３７】
本実施例のカード処理装置１は、不正装置１１の磁気情報読取部１２による磁気情報の読み取りを防止するために、第１の磁界発生部２３および第２の磁界発生部２４をカード挿入口４の近傍に配設し、第１の磁界発生部２３および第２の磁界発生部２４から妨害磁界を発生する。
【００３８】
磁気ストライプ検知センサ２１は、カード挿入口４の近傍に配設され、磁気カード３が有する磁気ストライプを検知することにより、カード搬送路５内に挿入された磁気カード３が磁気ストライプを備えていることを検出し、制御部３２に通知する。制御部３２は、磁気ストライプ検知センサ２１からのセンサ信号から、磁気ストライプを備えた磁気カード３がカード挿入口４に挿入されたことを知ることができる。
【００３９】
第１の磁界発生部２３および第２の磁界発生部２４は一例として鉄心（不図示）に導線（不図示）を巻いたコイルである。磁界制御部２２は、第１の磁界発生部２３のコイルと第２の磁界発生部２４のコイルに互いに独立して電流を流すことができる。磁界制御部２２が第１の磁界発生部２３のコイルに流す駆動信号と第２の磁界発生部２４のコイルに流す駆動信号は互いに周波数が異なる。また、磁界制御部２２が第１の磁界発生部２３のコイルに流す駆動信号と第２の磁界発生部２４のコイルに流す駆動信号はその強度が互いに異なる。２つの妨害磁界の強度と周波数の両方あるいは一方を異なるものとすることで、不正装置１１の磁気情報読取部１２が差動ヘッドを利用するものであった場合にも妨害磁界をキャンセルしづらくなる。
【００４０】
第１の磁界発生部２３が発生する妨害磁界は、破線で囲われた磁界強度が所定値以上に高い領域２３１がカード搬送路５に沿って拡がる。第２の磁界発生部２４が発生する妨害磁界は、破線で囲われた磁界強度が所定値以上に高い領域２４１が、カード挿入口４の外側のカード搬送路５の延長線上を通り、カード挿入口４の内側のカード搬送路５上を大きく覆わないように拡がる。
【００４１】
カード搬送路５の搬送方向にカード位置センサ３４Ａ、３４Ｂ、３４Ｃが並べて配設されている。カード位置センサ３４Ａ、３４Ｂ、３４Ｃの配置間隔は磁気カード３の搬送方向の長さよりも短い。カード位置センサ３４Ａ、３４Ｂ、３４Ｃはそれぞれ発光部と受光部の対からなる光センサであり、カード搬送路５を挟んで発光部と受光部とが対向して配置されている。
【００４２】
カード位置センサ３４Ａ、３４Ｂ、３４Ｃが磁気カード３を検知したことを示すセンサ信号は制御部３２に通知される。制御部３２は、センサ信号からカード搬送路５内の磁気カード３の位置を知ることができる。例えば、制御部３２は、カード位置センサ３４Ａからのセンサ信号により、磁気カード３がローラ６１Ａの対に挟まれる位置に達したことを知ることができる。また、制御部３２は、カード位置センサ３４Ｂからのセンサ信号により、磁気カード３が磁気情報読取部３３による磁気情報の読み取りが可能な位置に達したことを知ることができる。
【００４３】
カード搬送路５内の磁気カード３から磁気情報を読み取るための磁気情報読取部３３がカード搬送路５の近傍に配設されている。また、カード搬送路５を挟むように磁気情報読取部３３と対向してヘッド対向ローラ６２が配設されている。磁気情報読取部３３は磁気ヘッドを有し、磁気ヘッドでカード搬送路５内の磁気カード３から磁気情報を読み取り、制御部３２に通知する。
【００４４】
図４、図５、図６、図７は、実施例１によるカード処理装置の一連の動作を示す図である。以下、これらの図を用いて、磁気カード３を取り込んで磁気情報を読み取るときのカード処理装置１のスキミング防止動作について説明する。
【００４５】
まず、図４を参照すると、通常時はカード処理装置１の制御部３２は、第１の磁界発生部２３および第２の磁界発生部２４に妨害磁界を発生させている。カード処理装置１のカード挿入口４の外側に不正装置１１が取り付けられているので、利用者が磁気カード３をカード処理装置１に挿入するとき、磁気カード３は不正装置１１の磁気情報読取部１２上を通ることになる。
【００４６】
磁気カード３の先端（図中の右端部）が不正装置１１の磁気情報読取部１２上に差し掛かったとき、第１の磁界発生部２３および第２の磁界発生部２４から妨害磁界が発生しているので、不正装置１１は磁気カード３の磁気情報を読み取ることができない。
【００４７】
更に磁気カード３がカード挿入口４に挿入された方向（挿入方向）に進行すると、図５に示すように、磁気カード３の先端が挿入検知センサ４１により検出され、それが制御部３２に通知される。制御部３２は、磁気カード３がカード挿入口４に挿入されたことを知得し、第２の磁界発生部２４に妨害磁界の発生を停止させる。これにより、カード処理装置１において、磁気ストライプ検知センサ２１による磁気ストライプの検知、および磁気情報読取部３３による磁気カード３の磁気情報の読み取りが確実にできるようになる。これにより、カード挿入の誤検知やカードが挿入できないといった障害が低減される。
【００４８】
更に磁気カード３が挿入方向に進行すると、まず、磁気カード３はその先頭から磁気ストライプ検知センサ２１上を通過する。その際に磁気ストライプ検知センサ２１により磁気ストライプが検知され、それが制御部３２に通知される。磁気ストライプの検知を通知されると、制御部３２は磁気ストライプを備えた磁気カード３が挿入されたと判断し、カード搬送制御部３９により、磁気カード３を搬送するためのローラ６１Ａ、６１Ｂおよびヘッド対向ローラ６２を駆動し始める。
【００４９】
更に磁気カード３が挿入方向に進行すると、磁気カード３の先頭が、カード挿入口４側のローラ６１Ａに到達する。これにより磁気カード３の自動搬送が開始する。その直後にカード挿入口４側のカード位置センサ３４Ａで磁気カード３が検知され、それが制御部３２に通知される。制御部３２は、カード位置センサ３４Ａにて磁気カード３が検知されていない状態から磁気カード３が検知されたことで、磁気カード３の先端がカード位置センサ３４Ａに到達したと判断することができる。
【００５０】
更に磁気カード３が自動搬送により挿入方向に進行すると、磁気カード３の先端が中央のカード位置センサ３４Ｂで検知され、それが制御部３２に通知される。制御部３２は、通知を受けて、磁気カード３の先端がカード位置センサ３４Ｂの到達したことを知得する。その直後に磁気情報読取部３３による磁気カード３の磁気情報の読み取りが開始される。制御部３２は、磁気情報読取部３３で磁気情報を読み取りながら磁気カード３を自動搬送する。
【００５１】
更に磁気カード３が自動搬送により挿入方向に進行すると、カード挿入口４側のカード位置センサ３４Ａで磁気カード３が検知されない状態となる。カード挿入口４側のカード位置センサ３４Ａにて磁気カード３が検知されている状態から磁気カード３が検知されない状態となると、制御部３２は、磁気カード３の後端がカード挿入口４側のカード位置センサ３４Ａに到達したと判断する。
【００５２】
更に磁気カード３が自動搬送により挿入方向に進行すると、図６に示すように、中央のカード位置センサ３４Ｂで磁気カード３が検知されない状態となる。中央のカード位置センサ３４Ｂにて磁気カード３が検知されている状態から磁気カード３が検知されない状態となると、制御部３２は、磁気カード３の後端が中央のカード位置センサ３４Ｂに到達したと判断する。その直後に磁気情報読取部３３による磁気カード３の磁気情報の読み取りが終了する。
【００５３】
磁気カード３の後端が磁気情報読取部３３を通過すると、図７に示すように、制御部３２は、カード搬送制御部３９により磁気カード３を排出方向へ自動搬送し始める。このとき制御部３２は、第２の磁界発生部２４による妨害磁界の発生を再開させる。これにより、不正装置１１の磁気情報読取部１２による磁気カード３の磁気情報の読み取りが行えない状態となる。
【００５４】
更に磁気カード３が自動搬送により排出方向に進行し、最終的には磁気カード３がカード挿入口４から排出される。その間、磁気カード３の磁気ストライプが不正装置１１の磁気ストライプが磁気情報読取部１２を通過すると、第１の磁界発生部２３および第２の磁界発生部２４が妨害磁界を発生しているので、不正装置１１に磁気情報が読み取られることは防止される。
【００５５】
以上説明したように、本実施例によれば、カード処理装置１は、カード挿入口４に挿入されカード挿入口４から排出される間に磁気カード３が搬送されるカード搬送路５と、カード挿入口４の近傍に妨害磁界をそれぞれ発生させる第１および第２の磁界発生部２３、２４と、第１および第２の磁界発生部２３、２４の動作を制御する制御部３２と、を有している。制御部３２は、第１の磁界発生部２３および第２の磁界発生部２４に妨害磁界を発生させている状態で、カード搬送路５上の磁気カード３に対して所定の動作を行うとき、第１の磁界発生部２３には妨害磁界の発生を継続させ第２の磁界発生部２４には妨害磁界を停止させる。第１の磁界発生部２３からの妨害磁界と第２の磁界発生部２４からの妨害磁界を発生させることにより不正装置１１による磁気カード３の磁気情報が読み取られるのを効果的に抑制すると共に、自装置（カード処理装置１）内で磁気カード３に対して所定の処理をするときには第２の磁界発生部２４からの妨害磁界を停止して良好に処理を実行することができる。
【００５６】
なお、本実施例によれば、磁気カード３に対する所定の動作は、磁気カードに記録されている磁気情報の読み取りである。不正装置１１により磁気情報が読み取られるのを効果的に抑制すると共に、自装置が磁気情報を読み取るときには第２の磁界発生部２４からの妨害磁界を停止して読取性能を維持することができる。
【００５７】
また、本実施例によるカード処理装置１は、磁気カード３がカード挿入口４に挿入されたことを検知する挿入検知センサ４１と、カード搬送路５内の磁気カード３から磁気情報を読み取る磁気情報読取部３３と、を更に有する。そして、制御部３２は、挿入検知センサ４１にて磁気カード３が検知されると、２の磁界発生部２４には妨害磁界を停止させ、磁気カード３がカード搬送路５を挿入方向に進行する間に、磁気情報読取部３３に、磁気情報を読み取らせ、磁気情報読取部３３による磁気情報の読み取りを終えた後に、第２の磁界発生部２４に妨害磁界の発生を再開させることにしてもよい。実施例１に例示するような、挿入方向に進行しているときに磁気情報を読み取るカード処理装置１において、磁気カード３がカード挿入口４に挿入されたときに第２の磁界発生部２４からの妨害磁界を停止する。カード挿入口４の外側に不正装置１１が取り付けられている場合、磁気カード３がカード挿入口４に挿入されるときには、磁気カード３の一部が不正装置１１の磁気情報読取部３３を通過していると想定される。カード挿入口４に磁気カード３が挿入されたときに第２の磁界発生部２４による妨害磁界の発生を停止しても、カード挿入口４の外側に取り付けられた不正装置１１の磁気情報読取部３３上に磁気カード３がいる状態で第１の磁界発生部２３からの妨害磁界と第２の磁界発生部２４からの妨害磁界により不正装置１１により磁気情報が読み取られるのを抑制することができる。自身が磁気情報を読み取るときには第２の磁界発生部２４からの妨害磁界を停止するので、磁気情報の読み取り性能が維持される。
【００５８】
また、本実施例によるカード処理装置１は、カード搬送路５における磁気カード３を搬送するカード搬送機構３７を更に有する。挿入検知センサ４１にて磁気カードが検知されると、制御部３２は、カード搬送機構３７に、磁気カード３をカード搬送路５における挿入方向に搬送させる。更に、制御部３２は、第２の磁界発生部２４に、妨害磁界を停止させ、磁気カード３がカード搬送路５において挿入方向に搬送される間に磁気情報読取部３３に磁気情報を読み取らせる。磁気情報読取部３３による磁気情報の読み取りを終えた後、制御部３２は、第２の磁界発生部２４に、妨害磁界の発生を再開させ、カード搬送機構３７に、磁気カード３をカード搬送路５において排出方向に搬送させ、カード挿入口４から排出させる。自動搬送により磁気カード３を搬送し、挿入方向に搬送しているときに磁気情報を読み取るカード処理装置１において、磁気カード３がカード挿入口４に挿入されたときに第２の磁界発生部２４からの妨害磁界を停止する。それゆえ、磁気カード３が不正装置１１の磁気情報読取部１２上にいる状態で第１の磁界発生部２３からの妨害磁界と第２の磁界発生部２４からの妨害磁界により磁気情報が不正に読み取られるのを妨害できると共に、挿入方向に搬送される磁気カード３から自装置が磁気情報を読み取るときには第２の磁界発生部２４からの妨害磁界を停止し、読み取り性能を確保できる。
【００５９】
また、本実施例では、第１の磁界発生部２３と第２の磁界発生部２４が交互に妨害磁界を発生させることにしてもよい。切り替えの時間間隔は、磁気カード３の磁気情報を読み取るのに要する時間の数十分の１〜数分の１程度の時間にするのが好適である。切り替えの時間間隔は数十ｍｓ〜数百ｍｓ程度の短い時間となる。この構成によれば、妨害磁界の強度および／または周波数を時間的に変化させ、２つの妨害磁界の影響を交互に強弱に変化させることで、不正装置１１が差動ヘッドを利用するものであった場合にも妨害磁界を継続的にキャンセルしづらくなり、磁気情報の読み取り効果的に抑制することができる。
【００６０】
また、第１の磁界発生部２３が発生する妨害磁界と第２の磁界発生部２４が発生する妨害磁界とがカード挿入口４の近傍外側にて重なるようになっていてよい。カード挿入口４の近傍外側に不正装置１１が取り付けられることが想定されるので、カード挿入口４の近傍外側にて２つの妨害磁界が重なるようにすることで、不正装置１１による磁気カード３の磁気情報の読み取りを効果的に抑制することができる。
【００６１】
また、第１の磁界発生部２３は、カード搬送路５と並行に拡がる妨害磁界を発生し（領域２３１）、第２の磁界発生部２４はカード搬送路５のカード挿入口４の近傍外側に妨害磁界を発生することにしてもよい（領域２４１）。継続的に発生させる第１の磁界発生部２３からの妨害磁界をカード搬送路５と並行にすることで、不正装置１１により磁気カード３の磁気情報が読み取られるのを効果的に抑制することができる。
【００６２】
また、本実施例では、第１の磁界発生部２３および第２の磁界発生部２４をそれぞれ１個ずつ設けた例を示したが、これに限定されることはない。他の例として、第２の磁界発生部２４を複数設けてもよい。不正装置１１による磁気情報の読み取りを妨害する効果をより高めることができる。
【実施例２】
【００６３】
実施例２では磁気カードを手動で挿抜するカード処理装置を例示する。
【００６４】
図８は実施例２によるカード処理装置のブロック図である。図８を参照すると、カード処理装置１は、カード挿入口ユニット２０、制御部３２、カード搬送路５、カード位置センサ３４、メモリ３５、およびホストインタフェース３６を有している。
【００６５】
制御部３２は、カード処理装置１の全体の動作を制御する処理部である。
【００６６】
カード搬送路５は、磁気カードが挿入され抜去される開口（不図示）を有し、磁気カードが搬送される経路である。実施例２では磁気カードを手動で挿抜するため、カード搬送路５の開口の逆側の端部には、挿入された磁気カードが突き当る壁があり、磁気カードの進行が壁で止まるようになっている。
【００６７】
磁気情報読取部３３は、カード搬送路５に配置され、磁気カードに記録されている磁気情報を読み取る。
【００６８】
カード位置センサ３４は、カード搬送路５を搬送される磁気カードの位置を検知する。
【００６９】
メモリ３５は、制御部３２が必要に応じて各種情報を格納する記憶部である。
【００７０】
ホストインタフェース３６は、カード処理装置１が設けられる全体装置（不図示）と接続され、カード処理装置１が全体装置と連携するための情報を送受信するためのインタフェースである。例えば、磁気カードから読み取られた磁気情報はホストインタフェース３６を介して全体装置に通知される。
【００７１】
カード挿入口ユニット２０は、カード処理装置１のカード挿入口およびその周辺部分を構成するユニットである。カード挿入口はカード搬送路５の開口である。カード挿入口ユニット２０は、磁界制御部２２、第１の磁界発生部２３、第２の磁界発生部２４、磁気ストライプ検知センサ２１、および磁気情報読取部３３を有している。実施例２では磁気情報読取部３３がカード挿入口ユニット２０内にある。
【００７２】
第１の磁界発生部２３および第２の磁界発生部２４は、カード搬送路５の開口の近傍に配設され、不正装置（不図示）が磁気カードの磁気データを読み取るのを妨害するための妨害磁界を発生させる。
【００７３】
磁界制御部２２は、制御部３２と連携し、第１の磁界発生部２３および第２の磁界発生部２４による妨害磁界の発生を制御する。
【００７４】
磁気ストライプ検知センサ２１は、カード搬送路５の開口の近傍に配設され、磁気カードが有する磁気ストライプを検知することにより、カード搬送路５内に磁気ストライプを備えた磁気カードが挿入されたことを検出する。
【００７５】
図９は、実施例２によるカード処理装置の内部構成の概略図である。カード処理装置１は、カード挿入口４およびその周辺部分としてカード挿入口ユニット２０を有している。
【００７６】
カード搬送路５は、カード処理装置１においてカード挿入口ユニット２０および本体を通るように設けられている。カード搬送路５内で磁気カード３は手動で搬送される。
【００７７】
なお、図９では、カード挿入口４の外側には、カード挿入口４に挿入あるいはカード挿入口４から排出される磁気カード３から磁気情報を読み取り可能な位置に磁気情報読取部（磁気ヘッド）１２を有する不正装置１１が取り付けられている。磁気情報読取部１２は、磁気カード３のストライプに当接する磁気ヘッドの出力と磁気カード３に当接しない磁気ヘッドの出力との差分を取ることで外部磁界の影響をキャンセルする差動ヘッドであってもよい。
【００７８】
本実施例のカード処理装置１は、不正装置１１の磁気情報読取部１２による磁気情報の読み取りを防止するために、第１の磁界発生部２３および第２の磁界発生部２４をカード挿入口４の近傍に配設し、第１の磁界発生部２３および第２の磁界発生部２４から妨害磁界を発生する。
【００７９】
第１の磁界発生部２３および第２の磁界発生部２４は一例として鉄心（不図示）に導線（不図示）を巻いたコイルである。磁界制御部２２は、第１の磁界発生部２３のコイルと第２の磁界発生部２４のコイルに互いに独立して電流を流すことができる。
【００８０】
第１の磁界発生部２３が発生する妨害磁界は、破線で囲われた磁界強度が所定値以上に高い領域２３１がカード搬送路５に沿って拡がる。第２の磁界発生部２４が発生する妨害磁界は、破線で囲われた磁界強度が所定値以上に高い領域２４１が、カード挿入口４の外側のカード搬送路５の延長線上を通り、カード挿入口４の内側のカード搬送路５上を大きく覆わないように拡がる。
【００８１】
カード搬送路５の搬送方向にカード位置センサ３４Ａ、３４Ｂが並べて配設されている。カード位置センサ３４Ａ、３４Ｂの配置間隔は磁気カード３の搬送方向の長さと概ね同じである。カード位置センサ３４Ａ、３４Ｂは、発光部と受光部の対からなる光センサであり、カード搬送路５を挟んで発光部と受光部とが対向して配置されている。
【００８２】
カード位置センサ３４Ａ、３４Ｂが磁気カード３を検知したことを示すセンサ信号は制御部３２に通知される。制御部３２は、センサ信号からカード搬送路５内の磁気カード３の位置を知ることができる。例えば、制御部３２は、カード位置センサ３４Ａからのセンサ信号により、磁気カード３が磁気情報読取部３３による磁気情報の読み取りが可能な位置に達したことを知ることができる。また、制御部３２は、カード位置センサ３４Ｂからのセンサ信号により、磁気カード３がカード搬送路５の終点まで達したことを知ることができる。本実施例では、カード搬送路５の終点は進行を規制する壁で塞がっており、手動でカード挿入口４から挿入された磁気カード３はカード搬送路５の終点の壁に突き当たり、それ以上は進行させることができないようになっている。
【００８３】
カード搬送路５内の磁気カード３から磁気情報を読み取るための磁気情報読取部３３がカード搬送路５の近傍でカード挿入口４の近傍に配設されている。磁気情報読取部３３は磁気ヘッドを有し、磁気ヘッドでカード搬送路５内の磁気カード３から磁気情報を読み取り、制御部３２に通知する。本実施例のカード処理装置１は磁気カード３が手動で引き抜かれるときに磁気情報読取部３３が磁気カード３から磁気情報を読み取る。
【００８４】
図１０、図１１、図１２、図１３、図１４は、実施例２によるカード処理装置の一連の動作を示す図である。以下、これらの図を用いて、差し込まれ、引き抜かれる磁気カード３の磁気情報を読み取るときのカード処理装置１のスキミング防止動作について説明する。
【００８５】
まず、図１０を参照すると、通常時はカード処理装置１の制御部３２は、第１の磁界発生部２３および第２の磁界発生部２４に妨害磁界を発生させている。カード処理装置１のカード挿入口４の外側に不正装置１１が取り付けられているので、利用者が磁気カード３をカード処理装置１に挿入するとき、磁気カード３は不正装置１１の磁気情報読取部１２上を通ることになる。
【００８６】
磁気カード３の先端が不正装置１１の磁気情報読取部１２上に差し掛かったとき、第１の磁界発生部２３および第２の磁界発生部２４から妨害磁界が発生しているので、不正装置１１は磁気カード３の磁気情報を読み取ることができない。更に磁気カード３が挿入方向に進行し、図１１に示すようにカード搬送路５の終点に磁気カード３の先端が到達するまで、第１の磁界発生部２３および第２の磁界発生部２４から妨害磁界が発生しているので、不正装置１１の磁気情報読取部１２は磁気カード３の磁気情報を読み取ることができない。
【００８７】
カード搬送路５の終点近傍にカード位置センサ３４Ｂが配設されているので、制御部３２は、磁気カード３の先端がカード搬送路５の終点に到達したことをカード位置センサ３４Ｂからのセンサ信号によって知ることができる。また、カード位置センサ３４Ａとカード位置センサ３４Ｂの間隔が概ね磁気カード３の長さと一致しているので、カード位置センサ３４Ｂが磁気カード３の先端を検知するのと概ね同時にカード位置センサ３４Ａが磁気カード３の後端（図中の左端部）を検知することになる。カード位置センサ３４が磁気カード３を検知しない状態から磁気カード３を検知している状態になったことで磁気カード３の先端がカード位置センサ３４に到達したことを知得することができる。また、カード位置センサ３４が磁気カード３を検知している状態から磁気カード３を検知しない状態になったことで磁気カード３の後端がカード位置センサ３４に到達したことを知得することができる。
【００８８】
磁気カード３の先端がカード搬送路５の終点の壁に突き当たると、利用者は、図１２に示すように、磁気カード３を挿入方向とは逆の、カード挿入口４から抜き取られる方向（抜去方向）に引き抜く。磁気カード３が引き抜かれるとき、磁気カード３の後端が、磁気情報読取部３３の近傍に配設されたカード位置センサ３４Ａに達すると、制御部３２は、カード位置センサ３４Ａからのセンサ信号によりそれを知得し、図１２に示すように、第２の磁界発生部２４による妨害磁界の発生を停止する。これにより、カード処理装置１において、磁気情報読取部３３による磁気カード３の磁気情報の読み取りが確実にできるようになる。これにより磁気情報の誤認識といった障害が低減される。
【００８９】
更に磁気カード３が抜去方向に引き抜かれていく間、磁気情報読取部３３は、磁気カード３の磁気ストライプから磁気情報を読み取る。このとき、第２の磁界発生部２４からの妨害磁界が停止しているので、不正装置１１の磁気情報読取部１２による磁気カード３の磁気情報の読み取りが可能となっており、実際に途中まで磁気情報が読み取られることも想定される。
【００９０】
更に磁気カード３が抜去方向に進行し、磁気カード３の先端がカード位置センサ３４Ａの位置まで戻ってくると、図１３に示すようにカード位置センサ３４Ａでは磁気カード３を検知している状態から、図１４に示すように磁気カード３を検知しない状態となる。このとき制御部３２は、磁気カード３の磁気情報の読み取りが完了したと判断し、第２の磁界発生部２４による妨害磁界の発生を再開させる。その後は不正装置１１の磁気情報読取部１２が磁気カード３から磁気情報を読み取ることができない状態となる。
【００９１】
更に磁気カード３は引抜方向に進行し、不正装置１１は磁気情報読取部１２で磁気カード３の磁気情報を読み取ろうとするが、第１の磁界発生部２３からの妨害磁界と第２の磁界発生部２４からの妨害磁界により妨害されて磁気情報を読み取ることができない。その後、磁気カード３は先端までカード挿入口４から引き抜かれる。
【００９２】
以上説明したように、本実施例によれば、制御部３２は、磁気カード３が挿入方向に進行し終えた後に第２の磁界発生部２４に妨害磁界を停止させ、磁気カード３がにカード搬送路５を抜去方向に進行する間に、磁気情報読取部３３に、磁気情報を読み取らせ、磁気カード３が磁気情報読取部３３を通過すると、第２の磁界発生部２４に、妨害磁界の発生を再開させる。抜去方向に進行しているときに磁気カード３から磁気情報を読み取るタイプのカード処理装置１において、磁気カード３の抜去において磁気情報読取部３３で磁気情報を読み取るとき第２の磁界発生部２４からの妨害磁界を停止する。それゆえ、第１の磁界発生部２３からの妨害磁界と第２の磁界発生部２４からの妨害磁界により不正装置１１による磁気カード３の磁気情報が読み取られるのを抑制すると共に、自装置が磁気情報を読み取るときには第２の磁界発生部２４からの妨害磁界を停止することができる。
【００９３】
本実施例では、磁気カード３は手動でカード挿入口４に挿入され、手動でカード挿入口４から抜去されるものである。手動で磁気カード３を挿抜するカード処理装置１は通常、磁気カード３の搬送が安定する抜去時に磁気情報を読み取る。本実施例では、その場合に抜去時の自装置による磁気情報の読み取り性能は確保しつつ、不正装置１１による磁気情報の不正な読み取りを効果的に妨害することができる。
【００９４】
また、本実施例では、カード位置センサ３４は、磁気カード３の先端（図中の右端）または後端（図中の左端）が磁気情報読取部３３に到達したことを検知するものである。制御部３２は、挿入された磁気カード３が抜去方向に引き抜かれるとき、磁気カード３の後端が磁気情報読取部３３に到達すると、第２の磁界発生部２４に妨害磁界を停止させ、磁気カード３がカード搬送路５を抜去方向に進行するときに、磁気情報読取部３３に、磁気情報を読み取らせる。更に、制御部３２は、磁気カード３の先端が磁気情報読取部３３に到達したとき、第２の磁界発生部２４に、妨害磁界の発生を再開させる。磁気カード３が抜去方向に進行しているときに磁気情報を読み取るカード処理装置１において自装置で磁気情報を読み取るとき以外はできるだけの時間、第２の磁界発生部２４による妨害磁界を発生させ、不正装置１１による磁気カード３の磁気情報が読み取られるのを抑制することができる。
【００９５】
上述した本発明の実施形態は、本発明の説明のための例示であり、本発明の範囲をそれらの実施形態にのみ限定する趣旨ではない。当業者は、本発明の要旨を逸脱することなしに、例えば、第１の磁界発生部と第２の磁界発生部の動作を入れ替えたり、第２の磁界発生部を複数設けるなど、他の様々な態様で本発明を実施することができる。
【符号の説明】
【００９６】
１…カード処理装置、１００…自動取引装置、１０１…取引処理装置、１１…不正装置、１２…磁気情報読取部、２０…カード挿入口ユニット、２１…磁気ストライプ検知センサ、２２…磁界制御部、２３…第１の磁界発生部、２３１…領域、２４…第２の磁界発生部、２４１…領域、３…磁気カード、３２…制御部、３３…磁気情報読取部、３４…カード位置センサ、３５…メモリ、３６…ホストインタフェース、３９…カード搬送制御部、４…カード挿入口、４１…挿入検知センサ、５…カード搬送路、６１…ローラ、６２…ヘッド対向ローラ
【図１】
2018151762.tif 000003
【図２】
2018151762.tif 000004
【図３】
2018151762.tif 000005
【図４】
2018151762.tif 000006
【図５】
2018151762.tif 000007
【図６】
2018151762.tif 000008
【図７】
2018151762.tif 000009
【図８】
2018151762.tif 000010
【図９】
2018151762.tif 000011
【図１０】
2018151762.tif 000012
【図１１】
2018151762.tif 000013
【図１２】
2018151762.tif 000014
【図１３】
2018151762.tif 000015
【図１４】
2018151762.tif 000016